(57)【要約】【課題】本体部への装着キャップの取り付けに要する力が小さくなって、組み立て作業が容易になるトリガー式液体噴出器を提供する。【解決手段】本発明のトリガー式液体噴出器１において、容器Ｃの口部に取り付けられる装着キャップ２は、本体部３の下方に設けた連結筒部３０ａを挿通させ且つ連結筒部３０ａの外周面から径方向外側に延在するフランジ３０ｂに抜け止め保持される上部開口２ｃを有するとともに、装着キャップ２を傾倒させた状態で上部開口２ｃを連結筒部３０ａの下端より挿入して本体部３に取り付けられるものである。【選択図】図１
2015047551.tif 000002
【特許請求の範囲】
【請求項１】
容器の口部に取り付けられる装着キャップを有し、操作レバーの牽曳を繰り返して本体部に設けたポンプを駆動させ該容器内の内容液を吸引、加圧、圧送して内容液を噴出させるトリガー式液体噴出器であって、
前記装着キャップは、前記本体部の下方に設けた連結筒部を挿通させ且つ該連結筒部の外周面から径方向外側に延在するフランジに抜け止め保持される上部開口を有するとともに、該装着キャップを傾倒させた状態で該上部開口を該連結筒部の下端より挿入して該本体部に取り付けられるものであるトリガー式液体噴出器。
【請求項２】
前記フランジの外縁部上面に、径方向外側に向かって下向きに傾斜するフランジテーパ部を備える請求項１に記載のトリガー式液体噴出器。
【請求項３】
前記装着キャップは、前記上部開口を設けた天壁を有し、該天壁の上部開口縁部に径方向内側に向かって下向きに傾斜する天壁テーパ部を備える請求項１又は２に記載のトリガー式液体噴出器。
【発明の詳細な説明】
【技術分野】
【０００１】
本発明は、トリガー式液体噴出器に関するものであり、特に、この噴出器を容器の口部に固定する装着キャップに関する。
【背景技術】
【０００２】
黴取り剤や洗剤、衣料用糊剤、住居用ワックス、整髪剤、芳香剤等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【０００３】
かかる噴出器は、本体部の下部に設けたフランジに抜け止めされるとともに本体部に対して回動自在に設けられる装着キャップを備えていて、容器の口部にこの装着キャップをあてがい、本体部を保持したまま装着キャップのみを回転させることで、噴出器のノズルを所定の方向に向けた状態で容器へ装着することができる。
【先行技術文献】
【特許文献】
【０００４】
【特許文献１】特開平１１−２９０７３１号公報
【発明の概要】
【発明が解決しようとする課題】
【０００５】
ところで従来、装着キャップを本体部に取り付けるにあたっては、装着キャップの天壁に設けた上部開口から本体部の下端を挿通させ、フランジと天壁とが平行になるようにした状態で、装着キャップを押し込むようにしていた。すなわち、フランジと天壁とが全周に亘って当接した状態で押し込みが行われることになるため、取り付けに大きな力が必要となっていた。また、取り付け時のばらつきによっては、装着キャップを押し込む過大な力がフランジ及び装着キャップの一部だけに作用することがあって、フランジの外縁部や装着キャップの上部開口の縁部が捲れてしまうこともあった。
【０００６】
本発明は、このような問題点を解決することを課題とするものであり、その目的は、本体部への装着キャップの取り付けに要する力が小さくなって組み立て作業が容易になるとともに、フランジや装着キャップに生じることがあった捲れの発生を効果的に防止することができる、新たなトリガー式液体噴出器を提案するところにある。
【課題を解決するための手段】
【０００７】
本発明は、容器の口部に取り付けられる装着キャップを有し、操作レバーの牽曳を繰り返して本体部に設けたポンプを駆動させ該容器内の内容液を吸引、加圧、圧送して内容液を噴出させるトリガー式液体噴出器であって、
前記装着キャップは、前記本体部の下方に設けた連結筒部を挿通させ且つ該連結筒部の外周面から径方向外側に延在するフランジに抜け止め保持される上部開口を有するとともに、該装着キャップを傾倒させた状態で該上部開口を該連結筒部の下端より挿入して該本体部に取り付けられるものであるトリガー式液体噴出器である。
【０００８】
前記フランジの外縁部上面に、径方向外側に向かって下向きに傾斜するフランジテーパ部を備えることが好ましい。
【０００９】
前記装着キャップは、前記上部開口を設けた天壁を有し、該天壁の上部開口縁部に径方向内側に向かって下向きに傾斜する天壁テーパ部を備えることが好ましい。
【発明の効果】
【００１０】
径方向外側に延在するフランジを備える本体部の連結筒部に対し、装着キャップを傾倒させた状態で取り付けるようにしたので、装着キャップはフランジに対して部分的に当接しながら連結筒部に挿入されることとなるため、装着キャップの押し込みに要する力が小さくなる。また、必要となる力が小さくて済む分、過大な力がフランジや装着キャップに加わるおそれがなくなるので、捲れの発生を効果的に防止することができる。
【００１１】
フランジの外縁部上面に、径方向外側に向かって下向きに傾斜するフランジテーパ部を設ける場合は、フランジの外縁部上面と装着キャップとの干渉を避けることができるため、装着キャップの押し込みに要する力がより小さくなる。
【００１２】
装着キャップに、上部開口を形成した天壁を設け、天壁の上部開口縁部に径方向内側に向かって下向きに傾斜する天壁テーパ部を設ける場合は、装着キャップの取り付けにあたって天壁テーパ部がフランジ下面の角部に当接し、装着キャップのフランジへの乗り越えを誘導するので、この場合も装着キャップの押し込みに要する力がより小さくなる。
【図面の簡単な説明】
【００１３】
【図１】本発明に従うトリガー式液体噴出器の一実施形態を示す、側面視での断面図である。
【図２】図１に示す装着キャップの本体部への取り付けを説明する図、及びその拡大図である。
【図３】図２の状態から装着キャップを更に押し込んだ状態を示す図、及びその拡大図である。
【発明を実施するための形態】
【００１４】
以下、図面を参照して、本発明をより具体的に説明する。なお、本願明細書、特許請求の範囲、要約書、及び図面では、後述するカバーの頂壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方とする。
【００１５】
図１における、符号１はトリガー式液体噴出器の一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプの駆動にて容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、牽曳された操作レバー６に復元力を付与するバネ部材７と、本体部３の上方及び側方を覆うカバー８とを備えている。
【００１６】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられていて、天壁２ｄにおける上部開口２ｃの縁部には、径方向内側に向かって下向きに傾斜する天壁テーパ部２ｅが設けられている。
【００１７】
本実施形態において本体部３は、複数の部材から構成されていて、装着キャップ２は、その一つをなすボディ３０に取り付けられる。ボディ３０の下方には、上部開口２ｃに挿通される円筒状の連結筒部３０ａが設けられていて、連結筒部３０ａの外周面には、径方向外側に延在するフランジ３０ｂが設けられている。また、フランジ３０ｂの外縁部上面には、径方向外側に向かって下向きに傾斜するフランジテーパ部３０ｃが設けられている。また連結筒部３０ａの上方には、連結筒部３０ａに対して後方に偏心するとともに連結筒部３０ａよりも小径となる縦筒３０ｄが設けられていて、縦筒３０ｄの上方には、前方に向けて延在する横筒３０ｅが設けられている。ここで縦筒３０ｄの内部通路と横筒３０ｅの内部通路とは、穴Ｈａを介してつながっている。また横筒３０ｅの前方側には、上方及び側方に延在する板状壁３０ｆが設けられ、板状壁３０ｆには、前方に向けて突出する円柱部３０ｇ、及び円柱部３０ｇの径方向外側に位置する円筒部３０ｈが設けられている。また、横筒３０ｅの両側方には、側面視にてＵ字状をなし前述の操作レバー６を揺動可能に保持する溝部３０ｉが設けられている。そして、横筒３０ｅの下方には、縦筒３０ｄから前方に向けて突出する円筒状の嵌合壁３０ｊが設けられていて、嵌合壁３０ｊの径方向内側には、円筒状をなすとともに縦筒３０ｄからの突出量が嵌合壁３０ｊよりも少なくなるように形成され、またその先端部が後述する吐出弁体と当接する吐出弁座３０ｋが設けられている。また、嵌合壁３０ｊと吐出弁座３０ｋとの相互間には、縦筒３０ｄを貫く穴Ｈｂが設けられ、吐出弁座３０ｋの内側には、縦筒３０ｄを貫く穴Ｈｃが設けられている。更に、嵌合壁３０ｊには、その内外を連通させる穴Ｈｄが設けられている。
【００１８】
また、縦筒３０ｄ内には、円筒状のインテイク３１が設けられている。インテイク３１の下方には、径方向外側に延在するフランジ３１ａが設けられていて、フランジ３１ａには、嵌合壁３０ｊに設けた穴Ｈｄに連通する穴Ｈｅが設けられている。また、インテイク３１の下端には、前述のパイプ４が嵌合保持されている。更にインテイク３１の内部通路の中間部には、その内部通路を上部及び下部に区画する隔壁３１ｂが設けられている。そして隔壁３１ｂの下方には、穴Ｈｃに連通する穴Ｈｆが設けられ、隔壁３１ｂの上方には、穴Ｈｂに連通する穴Ｈｇが設けられている。更にインテイク３１の上方には、段状に形成されて後述する吸い上げ弁体と当接する吸い上げ弁座３１ｃが設けられ、更に吸い上げ弁座３１ｃの上方には、穴Ｈａに連通する穴Ｈｈが設けられている。
【００１９】
そして、インテイク３１の上方には、吸い上げ弁３２が設けられている。吸い上げ弁３２は、吸い上げ弁座３１ｃに着座する平板状の吸い上げ弁体３２ａと、側面視にて環状をなし、吸い上げ弁体３２ａに対して常時下方へ向かう付勢力を作用させる弾性部３２ｂを備えている。
【００２０】
また、嵌合壁３０ｊの内側には、シリンダー部材３３が設けられている。シリンダー部材３３は、嵌合壁３０ｊに嵌合保持される円筒状のシリンダー筒３３ａと、シリンダー筒３３ａの径方向内側に設けられる円筒状の区画筒３３ｂとを同心二重配置で設けたものであり、シリンダー筒３３ａと区画筒３３ｂとの後方側は、奥壁３３ｃでつながっている。奥壁３３ｃには、縦筒３０ｄに設けた穴Ｈｂに入り込むとともにインテイク３１の穴Ｈｇに連通する穴Ｈｉが設けられている。そして区画筒３３ｂの内側には、半球状をなすとともに吐出弁座３０ｋに着座する吐出弁体３３ｄと、螺旋状に延在して区画筒３３ｂと吐出弁体３３ｄとを相互に連結し且つ吐出弁体３３ｄに対して常時後方へ向かう付勢力を作用する弾性部３３ｅとが設けられていて、吐出弁体３３ｄ及び弾性部３３ｅによって吐出弁を構成している。更に、シリンダー筒３３ａには、シリンダー筒３３ａの内外を連通させるとともに、嵌合壁３０ｊとシリンダー筒３３ａとの間に形成される隙間を介して嵌合壁３０ｊの穴Ｈｄに連通する外気導入口Ｈｊが設けられている。
【００２１】
シリンダー部材３３の内側には、ピストン３４が設けられている。ピストン３４は、シリンダー筒３３ａの内周面に摺動可能に当接する環状の摺動部３４ａを有していて、摺動部３４ａには、前方に向けて延在するとともに前方側の端部を閉塞した周壁部３４ｂが設けられている。また、周壁部３４ｂの前方側端部には、前述の操作レバー６に係合する係合穴３４ｃが設けられている。なお、摺動部３４ａは、操作レバー６が牽曳されていない状態において、シリンダー部材３３の外気導入口Ｈｊを塞ぐ位置に設けられている。
【００２２】
このように本実施形態では、ボディ３０、インテイク３１、吸い上げ弁３２、シリンダー部材３３、ピストン３４によって、ポンプ機能を有する本体部３を構成している。
【００２３】
ノズル５は、ボディ３０に設けた円柱部３０ｇの前方側に配される縦壁５ａを有していて、縦壁５ａには、円柱部３０ｇを取り囲んで後方へ向けて延在する内側筒状壁５ｂと、内側筒状壁５ｂの径方向外側にて円筒部３０ｈの内周面に当接する外側筒状壁５ｃが設けられている。これによりノズル５は、円柱部３０ｇを中心に回動可能に保持される。なお、ノズル５はボディ３０に対して抜け止め保持（例えば板状壁３０ｆに爪部を設け、これに係合する爪部をノズル５に設ける）されている。ここで、内側筒状壁５ｂの内側には、縦壁５ａを貫く貫通穴５ｄが設けられていて、円柱部３０ｇの外周面と内側筒状壁５ｂの内周面には、それぞれ前後方向に延在する溝が設けられている。これにより、ノズル５を回転させて相互の溝が合わさることで、横筒３０ｅの内部通路と貫通穴５ｄとが連通して内容液の噴出が可能となる一方、これらの溝がずれている時は、横筒３０ｅの内部通路と貫通穴５ｄとは非連通となって、内容液の噴出を阻止することができる。また、外側筒状壁５ｃの径方向外側には、横断面形状が矩形状となる外壁５ｅが設けられていて、更に外壁５ｅの前方側には、ヒンジ５ｆを介して一体に連結するとともに、内容液を外界に向けて噴出させる噴出口５ｇを形成した衝突壁５ｈが設けられている。なお、内容液を噴出させる際には、衝突壁５ｈはヒンジ５ｆにて折り曲げられて（折曲げられた衝突壁５ｈは外壁５ｅに係合保持される）、噴出口５ｇが貫通穴５ｄの前方に位置するようにしている。
【００２４】
操作レバー６は、前壁６ａ及び前壁６ａの両側方に設けられる一対の側壁６ｂを有するものであり、各側壁６ｂの上方には、ボディ３０の溝部３０ｉに揺動可能に連係する円柱状の突起６ｃが設けられている。また、操作レバー６の中間部には、前壁６ａを貫通するとともにピストン３４との干渉を避ける逃がし穴６ｄが設けられていて、逃がし穴６ｄの側方には、係合穴３４ｃに連係する円柱状の凸部６ｅが設けられている。
【００２５】
バネ部材７は、操作レバー６の後方において、ボディ３０の横筒３０ｅと嵌合壁３０ｊとの間で保持され、前方へ向けて伸延しつつ湾曲しながら下方に向けて延在する形態をなすものであり、操作レバー６に対して常時前方へ向かう付勢力を付与している。
【００２６】
カバー８は、上方に設けられた頂壁８ａ、及び頂壁８ａの側方から下方に向けて延在する一対の側壁８ｂを備えている。また、詳細な説明は省略するが、ボディ３０に対して後方から前方に向けてスライドさせることで取り付けできるように構成されている。なお従来は、特許文献１の図１に示すように、スライドさせて取り付けたカバーを抜け止め保持するための爪部が本体部の後方に設けられていることが一般的であるが、本実施形態ではこのような爪部をはじめ、他の突起物が本体部３（ボディ３０）の後方に設けられていない点が従来のものと相違する。
【００２７】
上記のような構成となるトリガー式液体噴出器１によれば、操作レバー６の牽曳によってピストン３４が後方に押し込まれることで、シリンダー部材３３内の内容液は、穴Ｈｉ及び穴Ｈｇを通ってインテイク３１の上部側の内部通路内に圧入され、吸い上げ弁体３２ａを押し上げて穴Ｈｈ、穴Ｈａ、及び横筒３０ｅの内部通路を通り、貫通穴５ｄを介して噴出口５ｇから噴出される。
【００２８】
次いで操作レバー６の牽曳を停止し、バネ部材７の付勢力で操作レバー６が元の位置に戻ることでピストン３４も前方に移動し、シリンダー部材３３内が負圧化される。これによって容器Ｃ内の内容液が、パイプ４を介してインテイク３１の下部側の内部通路内に導入され、穴Ｈｆ及び穴Ｈｃを通り、吐出弁座３０ｋから離反した吐出弁体３３ｄ及び螺旋状となる弾性部３３ｅ間の隙間を介してシリンダー部材３３内に導入される。なお、ピストン３４が元の位置に戻るまでは、シリンダー部材３３に設けられた外気導入口Ｈｊが開口しているので、外気を、外気導入口Ｈｊ、嵌合壁３０ｊとシリンダー筒３３ａとの間に形成される隙間、嵌合壁３０ｊの穴Ｈｄ、及びインテイク３１の穴Ｈｅを介して容器Ｃ内に取り込むことができる。このため、噴出に従って容器Ｃ内の内容液が減少しても、外気が容器Ｃ内に取り込まれるので、負圧によって容器Ｃが変形することはない。
【００２９】
次に図２、図３を参照しつつ、装着キャップ２のボディ３０への取り付け方について説明する。なお、図２、図３では、単体のボディ３０に対して装着キャップ２を取り付ける例を示しているが、この方法に限定されるものではなく、装着キャップ２を取り付ける際に邪魔にならない、他の部材をボディ３０に組み付けておいても構わない。
【００３０】
装着キャップ２をボディ３０へ取り付けるにあたっては、図２に示すように装着キャップ２をボディ３０に対して傾倒させた状態とし（図示の例は、装着キャップ２を前傾姿勢にしている）、連結筒部３０ａを上部開口２ｃに挿通するとともに、図２の拡大図に示す二点鎖線に沿って、装着キャップ２をフランジ３０ｂに向けて押し込みを行う。なお、装着キャップ２を取り付けるに当たっては、ボディ３０の軸線に対して４５度程度の角度で挿入することが望ましい。本実施形態では、フランジ３０ｂの外縁部上面にフランジテーパ部３０ｃを設けているので（図２の拡大図において、フランジ３０ｂの外縁部上面に点線で示す部分は、フランジテーパ部３０ｃが設けられていない場合のフランジ外形を示す）、フランジ３０ｂの外縁部上面と装着キャップ２との干渉を避けることができるため、装着キャップ２の押し込みに要する力をより小さくすることができる。
【００３１】
また、本実施形態において本体部３（ボディ３０）の後方には、カバー８を抜け止め保持するための爪部等を設けておらず、図２の拡大図に示す二点鎖線に沿って装着キャップ２を押し込んでも、装着キャップ２の移動域（図２の拡大図に示す二点鎖線を境にボディ３０と反対側であって、符号Ｍで示す領域）には、装着キャップ２の移動を妨げるものがないため、押し込む途中で装着キャップ２の姿勢を変える必要はない。
【００３２】
更に、本実施形態における装着キャップ２は天壁テーパ部２ｅを備えているので、図３に示すように天壁テーパ部２ｅがフランジ３０ｂの下面の角部に当接しても、天壁テーパ部２ｅによって装着キャップ２のフランジ３０ｂへの乗り越えが誘導されるので、装着キャップ２の押し込みに要する力をより小さくすることができる。
【００３３】
なお、図２、図３では装着キャップ２を前傾姿勢にして押し込む例を示したが、装着キャップ２を傾倒させる向きはこれに限定されるものではなく、後方あるいは側方に向けて傾倒させてもよい。また、本発明に従うトリガー式液体噴出器の内部構造は、本実施形態のものに限られず、通常使用される他の構造を用いることができる。
【産業上の利用可能性】
【００３４】
本発明によれば、本体部への装着キャップの取り付けに要する力が小さくなって組み立て作業が容易になるとともに、従来、組み立て作業時に生じることがあった、フランジや装着キャップの捲れを効果的に防止できる、新規のトリガー式液体噴出器を提供することができる。
【符号の説明】
【００３５】
１  トリガー式液体噴出器
２  装着キャップ
２ａ  側壁
２ｂ  ねじ部
２ｃ  上部開口
２ｄ  天壁
２ｅ  天壁テーパ部
３  本体部
４  パイプ
５  ノズル
５ａ  縦壁
５ｂ  内側筒状壁
５ｃ  外側筒状壁
５ｄ  貫通穴
５ｅ  外壁
５ｆ  ヒンジ
５ｇ  噴出口
５ｈ  衝突壁
６  操作レバー
６ａ  前壁
６ｂ  側壁
６ｃ  突起
６ｄ  逃がし穴
６ｅ  凸部
７  バネ部材
８  カバー
８ａ  頂壁
８ｂ  側壁
３０  ボディ
３０ａ  連結筒部
３０ｂ  フランジ
３０ｃ  フランジテーパ部
３０ｄ  縦筒
３０ｅ  横筒
３０ｆ  板状壁
３０ｇ  円柱部
３０ｈ  円筒部
３０ｉ  溝部
３０ｊ  嵌合壁
３０ｋ  吐出弁座
３１  インテイク
３１ａ  フランジ
３１ｂ  隔壁
３１ｃ  弁座
３２  吸い上げ弁
３２ａ  吸い上げ弁体
３２ｂ  弾性部
３３  シリンダー部材
３３ａ  シリンダー筒
３３ｂ  区画筒
３３ｃ  奥壁
３３ｄ  吐出弁体
３３ｅ  弾性部
３４  ピストン
３４ａ  摺動部
３４ｂ  周壁部
３４ｃ  係合穴
Ｃ  容器
Ｈａ〜Ｈｉ  穴
Ｈｊ  外気導入口
Ｍ  装着キャップの移動域
【図１】
2015047551.tif 000003
【図２】
2015047551.tif 000004
【図３】
2015047551.tif 000005